(57)【要約】【課題】複合楽器およびそのシステムにおいて、複数本の弦を備える楽器で、複数の異なる音色の弦音や、他の各種音色を発生させることにある。【解決手段】楽器本体（２）と、ヘッド（３）を有して楽器本体（２）に連結されるネック（４）と、一端が楽器本体（２）のテールピース（５）に所定間隔で固定されるとともに他端がヘッド（３）の複数のチューニングペグ（６）に夫々巻き掛けられる複数本の弦（７）とを備える複合楽器（１）において、演奏具（Ｐ）及び／又は演奏者の手で叩かれる打面部（２０）が備えられたドラムセンサ部材（１８）を楽器本体（２）に設け、ドラムセンサ部材（１８）は、打面部（２０）が演奏具（Ｐ）及び／又は演奏者の手で叩かれた際の振動により電気信号を発生する。【選択図】図１
2016148695.tif 000002
【特許請求の範囲】
【請求項１】
楽器本体と、ヘッドを有して前記楽器本体に連結されるネックと、一端が前記楽器本体のテールピースに所定間隔で固定されるとともに他端が前記ヘッドの複数のチューニングペグに夫々巻き掛けられる複数本の弦とを備える複合楽器において、演奏具及び／又は演奏者の手で叩かれる打面部が備えられたドラムセンサ部材を前記楽器本体に設け、前記ドラムセンサ部材は、前記打面部が演奏具及び／又は演奏者の手で叩かれた際の振動により電気信号を発生することを特徴とする複合楽器。
【請求項２】
楽器本体と、ヘッドを有して前記楽器本体に連結されるネックと、一端が前記楽器本体のテールピースに所定間隔で固定されるとともに他端が前記ヘッドの複数のチューニングペグに夫々巻き掛けられる複数本の弦とを備える複合楽器システムにおいて、演奏具及び／又は演奏者の手で叩かれる打面部が備えられたドラムセンサ部材を前記楽器本体に設け、前記ドラムセンサ部材は、前記打面部が演奏具及び／又は演奏者の手で叩かれた際の振動により電気信号を発生し、前記ドラムセンサ部材には、前記打面部が演奏具及び／又は演奏者の手で叩かれた際の電気信号を入力して音色を変更可能な制御装置を接続して設けたことを特徴とする複合楽器システム。
【発明の詳細な説明】
【技術分野】
【０００１】
この発明は、複合楽器およびそのシステムに係り、特に複数の異なる音色の弦音や、他の各種音色を発生可能にする複合楽器およびそのシステムに関する。
【背景技術】
【０００２】
楽器としての弦楽器は、一般的に、楽器本体（ボディ）と、ヘッドを有して楽器本体に連結されるネックと、一端が楽器本体のテールピースに所定間隔で固定されるとともに他端がヘッドの複数のチューニングペグに夫々巻き掛けられる複数本の弦とを備えて構成される。
このような弦楽器としては、例えば、以下の先行技術文献がある。
【先行技術文献】
【特許文献】
【０００３】
【特許文献１】特開２００８−１４５８７２号公報  特許文献１に係る楽器は、マンドリンの形状を備え、木材資源を無駄にすることなく低コストでの提供を可能とするものであって、圧縮された木材により製造される部材を、木材を削り取って、三次元形状をなすブランク材を作成した後、このブランク材を高温高圧の水蒸気雰囲気下で一方向に圧縮し、肉厚を減少させてなるものである。
【発明の概要】
【発明が解決しようとする課題】
【０００４】
ところが、弦楽器にあっては、各楽器毎の弦による一種の音色だけしか得ることができないことから、１台の楽器で、他の異なる音色の弦音や、打楽音等の他の各種音色を得ることが望まれていた。
【０００５】
そこで、この発明は、複数本の弦を備える楽器で、複数の異なる音色の弦音や、他の各種音色を発生可能にする複合楽器およびそのシステムを提供することを目的とする。
【課題を解決するための手段】
【０００６】
この発明は、楽器本体と、ヘッドを有して前記楽器本体に連結されるネックと、一端が前記楽器本体のテールピースに所定間隔で固定されるとともに他端が前記ヘッドの複数のチューニングペグに夫々巻き掛けられる複数本の弦とを備える複合楽器において、演奏具及び／又は演奏者の手で叩かれる打面部が備えられたドラムセンサ部材を前記楽器本体に設け、前記ドラムセンサ部材は、前記打面部が演奏具及び／又は演奏者の手で叩かれた際の振動により電気信号を発生することを特徴とする。
【発明の効果】
【０００７】
この発明は、複数本の弦を備える楽器で、複数の異なる音色の弦音を発生させるとともに、楽器本体に設けられたドラムセンサ部材の打面部が演奏具及び／又は演奏者の手で叩かれることにより、他の各種音色を発生させることができる。
【図面の簡単な説明】
【０００８】
【図１】図１は複合楽器及び演奏具（バチ）の平面図である。（実施例１）
【図２】図２は複合楽器及び複合楽器システムの構成図である。（実施例１）
【図３】図３はドラムセンサ部材の断面図である。（実施例１）
【図４】図４は複合楽器システムの電気回路図である。（実施例１）
【図５】図５は複合楽器の楽器本体にドラムセンサ部材が複数設けられた平面図である。（実施例２）
【図６】図６はドラムセンサ部材を複数の部位（３つの部位）に分割した場合の拡大平面図である。（実施例３）
【図７】図７は図６のＡ−Ａ線において分割された各部位で硬さを異ならせた場合のドラムセンサ部材の拡大断面図である。（実施例３）
【図８】図８は図６のＡ−Ａ線において分割された各部位で高さを異ならせた場合のドラムセンサ部材の拡大断面図である。（実施例３）
【発明を実施するための形態】
【０００９】
この発明は、複数本の弦を備える楽器で、複数の異なる音色の弦音や、他の各種音色を発生させる目的を、楽器本体にドラムセンサ部材を設けて実現するものである。
【実施例１】
【００１０】
図１〜図４は、この発明の実施例１を示すものである。
図１、図２に示すように、複合楽器１は、楽器本体（ボディ）２と、ヘッド３を有して楽器本体２に連結されるネック４と、一端が楽器本体２のテールピース５に所定間隔で固定されるとともに他端がヘッド３の複数（例えば６個）のチューニングペグ６に夫々巻き掛けられる複数本（例えば６本）の弦７とを備えて構成される。各弦７は、ネック４の長手方向に延びるように配置される。
楽器本体２は、木製であって、平面視で、例えば、略円形状に形成され、表壁８と、裏壁９と、これら表壁８と裏壁９とを連結する略円形状の側壁１０とから形成され、内部に空間１１を形成する。なお、楽器本体２は、平面視で略円形状に限定されるものではなく、楕円形状等の他の各種形状にすることが可能である。
ネック４は、木製であって、中実で且つ直線状に形成され、基端が楽器本体２の表壁８に連結される一方、先端にヘッド３を有する。ネック４は、例えば、通常のギターの３分の１程度と、細く設定される。
ネック４の表面には、先端側でネック４の長手方向に対して直交する方向に配置された１つの上駒１２が設置されるとともに、ネック４の長手方向に対して直交する方向に配置された複数のフレット１３が弦７に沿って所定間隔で設置される。
楽器本体２の表壁８には、テールピース５の近くでネック４の長手方向に対して直交する方向に配置された下駒１４が設置される。
ヘッド３は、平面視で、先端へ末広がり状、つまり扇形状に形成される。
ヘッド３の先端部位には、複数本の弦７に対応する複数のチューニングペグ６が所定間隔で末広がり状に配置される。
楽器本体２のテールピース５には、複数本の弦７の夫々一端が所定間隔で固定される。
複数のチューニングペグ６には、複数本の弦７の夫々他端が巻き掛けて固定される。
複数本の弦７は、例えば、２本ずつ、間隔が狭く配置される。これにより、三味線、マンドリンと同じような演奏が可能となる。
【００１１】
楽器本体２の表壁８には、ネック４の基端とテールピース５との間で、開口部として、三日月形状の第１響孔１５と雲形状の第２響孔１６とが形成される。
第１響孔１５は、例えば、ネック４とテールピース５との直線上から外れた一側方（使用時における弦７の列の上方）に配置される。
第２響孔１６は、例えば、ネック４とテールピース５との直線上で、第１響孔１５の下方に配置される。
なお、第１響孔１５と第２響孔１６との形状・位置は、上記の形状・位置に限定されるものではない。
【００１２】
複合楽器１には、図２、図４に示すように、複合楽器システム１７が備えられる。
複合楽器システム１７は、ドラムセンサ部材１８と、制御装置１９とを備える。
【００１３】
ドラムセンサ部材１８は、図３に示すように、例えば、厚さｔの板状で表面となる打面部（パッド）２０を備え、表壁８の表面で且つネック４の基端が連結される部位で、つまり弦７の列よりも下側（使用時における弦７の列の下方）において所要の面域で設けられる。
ドラムセンサ部材１８は、粘着剤やネジ等の所要の固定手段によって楽器本体２の表壁８に、一体的あるいは取り外し可能に設けられる。
ドラムセンサ部材１８は、演奏者が演奏具Ｐで弦７を弾き、その後、打面部２０が演奏具Ｐ及び／又は演奏者の手で叩かれる際の振動により電気信号を発生する。演奏具Ｐは、例えば、バチ、ピック等からなる。
楽器本体２には、第２響孔１６の付近で、ドラムセンサ部材１８にボリウム側電線２１を介して接続されたドラムボリウム２２と、ドラムセンサ部材１８にトーン側電線２３を介して接続されたトーンコントローラ２４とが設置される。
ドラムボリウム２２は、ドラムセンサ部材１８からの電気信号に係る音量を調整する。
トーンコントローラ２４は、ドラムセンサ部材１８からの電気信号に係る高低音（トーン）を調整する。
ドラムボリウム２２とトーンコントローラ２４とは、楽器本体２内に配置された連絡電線２５を介して第１出力端子部２６に接続される。第１出力端子部２６は、楽器本体２の側壁１０の後部位に取り付けられる。
第１出力端子部２６には、第１電線２７を介して制御装置１９が接続される。
【００１４】
制御装置１９は、いわゆるシンセサイザとしての機能を備えるものであって、ドラムセンサ部材１８の打面部２０が演奏具Ｐ及び／又は演奏者の手で叩かれた際の電気信号を入力して音色（ボイス）を変更可能なものである。例えば、演奏具Ｐで三味線のように弦７を弾きながら、打面部２０を演奏具Ｐで叩くことにより、ドラム音を出すことで、一人で複数人分の演奏が可能となる。
具体的には、制御装置１９は、複数の各種音色を設定可能な音色設定手段２８と、音色設定手段２８に設定された音色を選択可能な複数（例えば８個）の音色選択具（ツマミ）２９と、複数の音色選択具２９の夫々の操作により音色設定手段２８から選択された音色の電気信号とドラムセンサ部材１８から入力した電気信号とに基づいて（例えば、音色設定手段２８から選択された音色の電気信号とドラムセンサ部材１８から入力した電気信号とを合成等）、新たな独自の音色（ボイス）を作成する音色作成手段３０と、音色作成手段３０で作成された新たな音色（ボイス）の音量を調整する音色ボリウム３１とを備える。音色設定手段２８は、それ自体が始めから設定された音素材（プリセット音）であったり、外部からの音素材を各種音色として設定する。
そして、制御装置１９は、複数の音色選択具２９が夫々所定に操作されることにより、ドラムセンサ部材１８の打面部２０が演奏具及び／又は演奏者の手で叩かれた際に、ドラムセンサ部材１８が発生した電気信号を入力して所望の音色（ボイス）となるように制御する。
【００１５】
制御装置１９には、図４に示すように、第２電線３２を介してアンプ３３が接続される。
アンプ３３は、ミキサー等の機器３４を含み、第３電線３５を介してスピーカ３６に接続される。
【００１６】
楽器本体２には、側壁１０の前部位で、弦音での音量を調整するように、ピックアップ等のセンサ体に接続されるエレキ・アコーステックボリウム３７及びエレキ・アコーステックコントローラ３８が並んで設置される。エレキ・アコーステックボリウム３７及びエレキ・アコーステックコントローラ３８は、楽器本体２の側壁１０の後部位に設置された第２出力端子部３９に接続される。
第２出力端子部３９は、第４電線４０を介してアンプ３３に接続される。
【００１７】
この実施例１に係る複合楽器システム１７において、所望の音色（ボイス）を得るように、制御装置１９の複数の音色選択具２９を夫々所定に操作しておき、そして、演奏者が弦７を弾くことにより、複数の異なる音色の弦音として、ギター、マンドリン、三味線、あるいは月琴の音色（ボイス）をスピーカ３６から発生させることができる。
また、その弦音の音色を発生させた後、演奏具Ｐ及び／又は演奏者の手でドラムセンサ部材１８の打面部２０を叩くことにより、太鼓や鈴等の独自の音色（ボイス）や、効果音をスピーカ３６から発生させることができる。
これにより、複合楽器１が１台で、複数の異なる音色の弦音を発生したり、パーカッション（打楽）、メロディ、和音等の音色を発生することができ、三役・四役の役割を果たすことができる。
また、例えば、隣接するフレット１３とフレット１３との間で和音が出るように設定することにより、演奏者の手の指で隣接するフレット１３とフレット１３との間の各弦７を押さえることにより、熟練していない人が容易に演奏を行うことができ、演奏会等に容易に参加することが可能となる。
更に、弦楽器１は、材質が木で製作され、デザインが、末広がり状のヘッド３と三日月形状（ツキ）の第１響孔１５と雲形状（ウン）の第２響孔１６とで、願いが込められる縁起物として構成される。
【実施例２】
【００１８】
図５は、この発明の実施例２を示すものである。
以下の実施例においては、上述の実施例１に同一機能を果たす箇所には、同一符号を付して説明する。
この実施例２の特徴とするところは、以下の点にある。即ち、楽器本体２には、１つ以上複数のドラムセンサ部材として、例えば、第１〜第４ドラムセンサ部材１８−１〜１８−４が設けられる。
第１ドラムセンサ部材１８−１は、上記の実施例１におけるドラムセンサ部材１８と同じ形状で、且つ同じ箇所に設置される。第２ドラムセンサ部材１８−２は、第１ドラムセンサ部材１８Ａの近傍で、第２響孔１６の下側に配置される。第３ドラムセンサ部材１８−３は、弦７の列よりも上方で且つ第１響孔１５よりもヘッド３側で前側に配置される。第４ドラムセンサ部材１８−４は、弦７の列よりも上方で且つ第１響孔１５よりも上側に配置される。
このような構造により、演奏者は、第１〜第４ドラムセンサ部材１８−１〜１８−４の夫々で便宜の部位を叩くことにより、その操作が簡便であるとともに、さらに異なる音色やリズム感を容易に発生させることが可能となる。
なお、この実施例２では、所望により、第１〜第４ドラムセンサ部材１８−１〜１８−４の厚さを、夫々変更することが可能である。
【実施例３】
【００１９】
図６〜図８は、この発明の実施例３を示すものである。
この実施例３の特徴とするところは、以下の点にある。即ち、ドラムセンサ部材１８は、図６に示すように、複数の部位として、例えば、第１〜２区画線Ｓ１〜Ｓ２によって第１〜第３部位１８Ａ〜１８Ｃに３分割して設定される。これにより、ドラムセンサ部材１８では、第１〜第３部位１８Ａ〜１８Ｃに対応する第１〜第３打面部２０Ａ〜２０Ｃが形成される。
そして、図７に示すように、例えば、第１部位１８Ａの硬さＧ１と第２部位１８Ｂの硬さＧ２と第３部位１８Ｃの硬さＧ３とで、硬さを順次に軟らかく設定する。つまり、Ｇ１＞Ｇ２＞Ｇ３の関係とする。
このような構造により、硬さの異なる第１〜第３部位１８Ａ〜１８Ｃによって各種の異なる音色を容易に発生させることができる。
また、図８に示すように、例えば、第１部位１８Ａの厚さＴ１と第２部位１８Ｂの厚さＴ２と第３部位１８Ｃの厚さＴ３とで、厚さを順次に薄く設定する。つまり、Ｔ１＞Ｔ２＞Ｔ３の関係とする。
このような構造により、厚さの異なる第１〜第３部位１８Ａ〜１８Ｃによって各種の異なる音色を容易に発生させることができる。
【産業上の利用可能性】
【００２０】
この発明に係る複合楽器およびそのシステムは、他の各種楽器に適用可能である。
【符号の説明】
【００２１】
１  複合楽器
２  楽器本体
３  ヘッド
４  ネック
５  テールピース
６  チューニングペグ
７  弦
８  表壁
９  裏壁
１０  側壁
１１  空間
１２  上駒
１３  フレット
１４  下駒
１５  第１響孔
１６  第２響孔
１７  複合楽器システム
１８  ドラムセンサ部材
１９  制御装置
２０  ドラムセンサ部材の打面部
２２  ドラムボリウム
２４  トーンコントローラ
２６  第１出力端子部
２８  音色設定手段
２９  音色選択具
３０  音色作成手段
３１  音色ボリウム
３３  アンプ
３６  スピーカ
【図１】
2016148695.tif 000003
【図２】
2016148695.tif 000004
【図３】
2016148695.tif 000005
【図４】
2016148695.tif 000006
【図５】
2016148695.tif 000007
【図６】
2016148695.tif 000008
【図７】
2016148695.tif 000009
【図８】
2016148695.tif 000010